【事件の表示】
　平成　８年特許願第１６２１２９号「無線選択呼出受信機」拒絶査定に対する審判事件［平成１０年　１月１６日出願公開、特開平１０−　１３８９９］について、次のとおり審決する。
【結　論】
　本件審判の請求は、成り立たない。
【理　由】
１．手続の経緯・本願発明
　本願は、平成８年６月２１日の出願であって、その請求項１に係る発明（以下、「本願発明」という。）は、平成１０年５月１２日付けの手続補正書により補正された明細書及び図面の記載からみて、特許請求の範囲の請求項１に記載されたとおりの次のものと認める。
「電話番号メモリとメッセージメモリとを有し、前記電話番号メモリからメッセージ送信先の電話番号を読み出し、前記メッセージメモリから送信するメッセージ情報を読み出し、これらをＤＴＭＦ信号に変換して送信するオートダイヤル機能を有する無線選択呼出受信機において、
　前記オートダイヤル機能を用いて前記メッセージ情報を他の無線選択呼出受信機へ送信する際に、予め記憶された発信者情報をメッセージ情報の一部として自動的に前記メッセージ情報に付加する発信者情報付加手段を有することを特徴とする無線選択呼出受信機。」
　
２．引用例
　これに対して、当審において平成１４年１月２３日付けで通知した拒絶の理由に引用した実願平４−５５７８号（実開平５−６５１４２号）のＣＤ−ＲＯＭ（平成５年８月２７日出願公開、以下「引用例１」という。）、及び、特開平８−１２５６０３号公報（平成８年５月１７日出願公開、以下「引用例２」という。）には、それぞれ、次の事項が記載されている。
　
［引用例１］
Ａ．「【産業上の利用分野】
　この考案はメッセージを伝達可能とされているページャ・メッセージ・ダイアラーに関する。」（第４頁第３〜５行）
Ｂ．「【課題を解決するための手段】
　この考案によれば、メッセージ入力手段と、その入力手段に入力されたメッセージを記憶する記憶手段と、その記憶されたメッセージを読み出し、順次トーン信号音で送出する手段とを備え、電源として電池が用いられる。
　また少くとも１つのページャ呼出し番号（ＩＤ番号）が記憶され、その記憶されたＩＤ番号が読み出されて順次トーン信号音で送出される。」（第５頁第２７行〜第６頁第３行）
Ｃ．「【実施例】
　以上に述べた如く、新たにメッセージ入力手段、メッセージ記憶（登録）手段、メッセージ送出手段を設け、単純・簡単な操作と、少数のキーと、小型軽量性を実現したこの考案の実施例について外形とキー配列とを図１に電気的構成を図２に示す。
【００１８】
　実施例では、ページャＩＤ番号を６つ登録（記憶）することができ、またメッセージも頻度多く使用するものを６つ登録（記憶）することができるようにした例で、それぞれの記憶番地は１，２，４，５，７，８の番号を附してあり、夫々の対応するキーを押すことで番地を指定できる。勿論全キーを使用すれば、夫々に１２種、更には２桁の番地を指定することも可能であるが、ページャ専用で単純性を重視し、夫々６種づつとした例について説明する。
【００１９】
　図１Ｂに示すようにこの考案のページャ１１の裏面１２の中央部にスピーカの放音孔１３が形成され、その下部に電池交換カバー１４が取付けられ、これと対応して電池１５が内蔵されている。ページャ１１の表面１６に１２キー（１２３…７８９０＊＃）１７と、訂正キーＣＬＥＡＲ記憶キーＭＥＲＹ、メッセージキーＭＥＳＳ、ＩＤ番号キーＤＩＡＬ、送信用としてＩＤ送信キーＤＩＡＬ　ＳＥＮＤ、メッセージ送信キーＭＥＳＳ　ＳＥＮＤが設けられている。
　・・・（中略）・・・
【００３２】
　トーンダイヤル電話機に対しては、ダイアラー側は一度の送信操作でＩＤ番号が送信された後、メッセージ送信も自動的に継続して行われる。これはＩＤ番号送信後回線が接続される迄の時間（呼の発生状況でこの時間は長・短がある）と、その後サービス局からの案内アナウンス「…どうぞメッセージをお入れ下さい」が終了する迄の時間（この時間は一定である）との和に若干の余裕時間を加えた時間ＴＷだけＩＤ番号の送信後に休止して、つづいてメッセージを送るようにすればよい。しかしこの休止時間ＴＷは一般に長く３０秒程度になるので、ＩＤ番号送信と、メッセージ送信とは分離した方が使い勝手がよい。」（第８頁第２５行〜第１３頁第８行、及び図１参照）
Ｄ．「【００３４】
　図２にこの実施例の電気的な機能構成を示す。マイクロ・コンピュータ（マイコンと記す）２３としては４ビット系で十分であり、これに１２キー群（１，２，３，４，５，６，７，８，９，０，＊，＃）１７、ＣＬＥＡＲキー２４、登録（記憶）メモリ選択用のＤＩＡＬ，ＭＥＳＳキー２５，２６、登録（記憶）指令用のＭＥＲＹキー２７、ＩＤ番号送信用のＤＩＡＬ　ＳＥＮＤキー２８、メッセージ送信用のＭＥＳＳ　ＳＥＮＤキー２９が収容される。１２キー１７中の番地指定用キー１７ａ（１，２，４，５，７，８）はＯＲ回路３１を通じてＡＮＤ回路３２にも接続され、またキー２５，２６，２８，２９もＯＲ回路３３を通じてＡＮＤ回路３２に接続され、ＡＮＤ回路３２の出力側は、電池３４からマイクロコンピュータ２３の電源端子へ電力供給を制御するＯＮ−ＯＦＦ回路３５のＯＮ指令側へ接続されている。
　・・・（中略）・・・
【００３６】
　ＯＮ−ＯＦＦ回路３５がＯＮとなると、マイコン２３は初期シーケンスを行い、入力端子を順次走査して入力情況をしらべる。信号線ａ群と信号線ｂ群との情況からＩＤメモリ３６、メッセージメモリ３７の何れのどの番地に使用者が何を行なおうとするかをマイコン２３が判断することができる。例えば番地指定用キー１７ａ中の４のキーとＩＤメモリ指定用キー２５とが押されていることを検出すると、ＩＤメモリ３６の４番地に対し、これから入力されるデータを書込むためのプログラムが起動される。従ってつづくキー群１７の入力は入出力レジスター（図示せず）に順次記入され、表示器３８に表示され、もし途中に誤りがありＣＬＥＡＲキー２４が押されると消されて入力がやり直される。入力が終了しＭＥＲＹキー２７が押されると前記入出力レジスタのデータはＩＤメモリ３６の４番地に移される。ＭＥＲＹキー２７によりデータのＩＤメモリ３６の番地４への移送が終了するとマイコン２３はＯＦＦ信号をＯＮ−ＯＦＦ回路３５に送りＯＮ−ＯＦＦ回路３５はＯＦＦとなる。同様にしてメッセージもメッセージメモリ３７の所望の番地に書込み登録することができる。
【００３７】
　次に送信の場合を説明する。例えば番地指定キー１７ａ中の４のキーが押され、且つＤＩＡＬ　ＳＥＮＤキー２８が押されていることをマイコン２３が検出すると、ＩＤメモリ３６の番地４の内容が入出力レジスターに読み出されプログラムにより１桁づつトーン発生回路３９に送られトーン（ＤＴＭＦ信号）信号となりスピーカ４１から放音される。ＩＤ番号の１０桁のみが送出され、つづく局コード（＊＊や＊）及び最長桁数は送信されない。これは送出桁を計数し、１０桁迄で止めることで実現できる。」（第１３頁第１６行〜第１５頁第２行、及び図２参照）
　
　上記Ａ〜Ｄの記載、及び図１、２を参照すると、引用例１には、次の発明（以下、「引用例１記載の発明」という。）が記載されているものと認められる。
　ＩＤメモリ３６とメッセージメモリ３７とを有し、前記ＩＤメモリ３６からメッセージ送信先のページャ呼出し番号（ＩＤ番号）を読み出し、前記メッセージメモリ３７から送信するメッセージを読み出し、これらをＤＴＭＦ信号に変換して送信するオートダイヤル機能を有するページャ１１。
　
［引用例２］
Ａ．「【産業上の利用分野】本発明は通信端末装置に関し、例えばデイジタルセルラ端末に適用し得るものである。」（第２頁左欄第４７〜４８行）
Ｂ．「【０００４】これらは携帯電話機能についてのシステムであるが、これらの中にはＧＳＭのようにシヨートメツセージサービスの提供が予定されているものがある。シヨートメツセージサービスは １６０文字までの７〔bit〕文字を送受信するサービスであり、これを使用すれば携帯電話をページヤーのように使用することができる。」（第２頁右欄第６〜１１行）
Ｃ．「【００２７】（２−４）自動挿入モードによる作成
このような例は、今まで述べたものと比べると若干異質ではあるが、メツセージ作成時に登録してある名前等を使用して、相手名や自分の名前を自動的に文章中に埋め込んでしまうようなことも考えられる。
  例えば携帯電話１に自分（発信者）の名前を登録しておき、ＳＩＭカード１２内の電話帳から相手を選択してメツセージを出すことを考える。
【００２８】このようなとき分かりやすい例として、文の最初に「Dear　xxxx，」、文の最後に「From　yyyy．」を付加するようなものを考えてみる。ここで「xxxx」は相手の名前、「yyyy」は自分の名前であるとする。このような文を定型文の最初と最後に付加するような設定をした場合に、登録した発信者の名前を「yyyy」に挿入し、電話帳から選んだ相手先の名前を「xxxx」に自動挿入することは容易にできる。その他の定型文内でも自分の名前を入れる場所や相手の名前が入る場所がわかつている場合にはそのような設定を定型文に行い名前を自動挿入するようなことも可能である。」（第４頁左欄第４７行〜右欄第１５行）
　
３．対比
　本願発明と引用例１記載の発明とを対比すると、引用例１記載の発明における「ＩＤメモリ３６」、「メッセージメモリ３７」、「ページャ呼出し番号（ＩＤ番号）」、「メッセージ」、「ページャ１１」は、それぞれ、本願発明における「電話番号メモリ」、「メッセージメモリ」、「電話番号」、「メッセージ情報」、「無線選択呼出受信機」に対応するものと認められる。
　よって、本願発明と引用例１記載の発明とは、
　電話番号メモリとメッセージメモリとを有し、前記電話番号メモリからメッセージ送信先の電話番号を読み出し、前記メッセージメモリから送信するメッセージ情報を読み出し、これらをＤＴＭＦ信号に変換して送信するオートダイヤル機能を有する無線選択呼出受信機
である点で一致し、次の点が相違する。
　相違点：本願発明は、「オートダイヤル機能を用いてメッセージ情報を他の無線選択呼出受信機へ送信する際に、予め記憶された発信者情報をメッセージ情報の一部として自動的に前記メッセージ情報に付加する発信者情報付加手段」を備えるのに対し、引用例１記載の発明は、そのような手段を備えていない点。
　
４．当審の判断
　上記相違点について検討する。
　上記引用例２には、「通信端末装置」、例えば「ディジタルセルラ端末に適用し得るもの」について、上記Ｂの記載によれば、その背景として、携帯電話システムの中には、ショートメッセージサービスの提供が予定されているものがあり、それを使用すれば携帯電話をページャーのように使用することができるとされており、送信するメッセージを作成する具体例として、上記Ｃの記載によれば、「自動挿入モードによる作成」として、定型文に対して登録した発信者の名前を自動挿入する例が示されている。
　引用例２記載の発明は、メッセージ情報をＤＴＭＦ信号に変換して送信するオートダイヤル機能を有する無線選択呼出受信機（ページャ）に関するものではないが、メッセージ情報を送信する通信端末装置であるということにおいては、引用例２に「ページャーのように使用することができる」との記載があるように、ページャと類似の機能を有する通信端末装置であるということができる。
　また、上記引用例２記載の発明においては、発信者情報をメッセージの中に自動挿入することをメッセージを作成する際に行うようにしているが、通信装置において、発信者情報を送信文書本体に自動的に付加することを文書を送信する際に行うようにすることは、周知技術にすぎない。（例えば、特開平５−１１０７０８号公報には、その第２頁左欄第２〜９行に、「通信相手のダイヤル数字を短縮ダイヤルに対応させて登録する短縮ダイヤル記憶手段と、前記短縮ダイヤル記憶手段に登録された各ダイヤル数字に対応する定型情報を記憶する短縮ブロック情報記憶手段と、前記短縮ダイヤルが入力されたときに、この短縮ダイヤルに対応する定型情報を前記短縮ブロック情報記憶手段から読出して送信文書本体に付加する手段とを具備した」と記載され、第４頁右欄第２８〜３２行に、「さらに、発信人の氏名など、複数の相手に共通するような汎用性のある短縮ブロック情報は、短縮ダイヤル毎にブロックを生成して登録しておくことはなく、共通のブロック番号によって１つの短縮ブロック情報を登録しておけばよいことはいうまでもない。」と記載されている点を参照されたい。）
　よって、引用例１記載の発明と引用例２記載の発明のページャとしての機能の共通性及び上記周知技術を踏まえれば、引用例１記載の発明において、「オートダイヤル機能を用いてメッセージ情報を他の無線選択呼出受信機へ送信する際に、予め記憶された発信者情報をメッセージ情報の一部として自動的に前記メッセージ情報に付加する発信者情報付加手段」を備えるようにすることは、当業者が適宜に設計できる事項であるものと認められる。
　そして、本願発明の構成によってもたらされる効果も、引用例１、２に記載の発明及び上記周知技術から当業者ならば容易に予測することができる程度のものであって、格別のものとはいえない。
　
５．むすび
　したがって、本願発明は、引用例１、２に記載の発明及び上記周知技術に基いて、当業者が容易に発明をすることができたものであるので、特許法第２９条第２項の規定により特許を受けることができない。
　よって、結論のとおり審決する。